(57)【要約】      （修正有）【課題】移動する消費者が商品と正対する前にプライスホルダの表示を見易くすることのできるプライスホルダを提供する。【解決手段】プライスホルダ１０は、陳列バーの上バー１０８の先端部と係合して表示部を固定するための固定部１４を有する。固定部１４は、上バー１０８の先端部を受け入れる複数の溝１６，１８，２０又は長孔を有している。複数の溝１６，１８，２０又は長孔の各々の軸線Ａｘ（Ｃ），Ａｘ（Ｒ），Ａｘ（Ｌ）は共通の横面上に位置し且つ互いに交差する一点から後方に延びている。上バー１０８の先端部を複数の溝１６，１８，２０又は長孔の任意の溝又は長孔に装着することで、表示部の向きを横方向に変更できる。【選択図】図３
0003218288.tif 000002
【実用新案登録請求の範囲】
【請求項１】
価格などを記した表示片を収容する表示部と、陳列バーの上バーの先端部と係合して前記表示部を固定するための固定部とを有する合成樹脂製のプライスホルダにおいて、
前記固定部が、前記上バーの先端部を受け入れる複数の溝又は長孔を有し、
該複数の溝又は長孔の各々の軸線が共通の横面上に位置し且つ互いに交差する一点から後方に延びており、
前記上バーの先端部を前記複数の溝又は長孔の任意の溝又は長孔に装着することで、表示部の向きを横方向に変更可能であることを特徴とするプライスホルダ。
【請求項２】
前記固定部が下方に向けて開放した前記複数の溝を有し、
該複数の溝の先端が共通のセンター孔で合流し、
前記複数の溝の任意の溝に前記陳列バーを装着したときに、該上バーの上方に屈曲した先端が前記センター孔に受け入れられる、請求項１に記載のプライスホルダ。
【請求項３】
前記プライスホルダが、前記表示部と前記固定部が一体成形された射出成型品である、請求項２に記載のプライスホルダ。
【請求項４】
前記表示部が、背板と、該背板の前方に位置する前面カバーと、前記背板の下端と前記前面カバーの下端とを連結する連接部とを有し、
前記プライスホルダを成形した後の熱収縮によって前記前面カバーの上端が前記背板と当接した状態又は近接した状態が形成されている、請求項３に記載のプライスホルダ。
【請求項５】
前記連接部が断面Ｕ字状の形状を有する、請求項４に記載のプライスホルダ。
【請求項６】
前記表示部が、その両側縁にストッパーを更に有し、
該ストッパーは前記背板の両側縁から前方に向けて突出している、請求項５に記載のプライスホルダ。
【考案の詳細な説明】
【技術分野】
【０００１】
本考案は商品陳列に用いられるプライスホルダに関する。
【背景技術】
【０００２】
デパート、スーパーマーケット、ホームセンター、コンビニエンスストアなどの店舗では陳列した商品に隣接して価格、商品の種類、品種、バーコードなどを表示するツールが設置されている。業界では、このツールは「プライスホルダ」「価格表示板」などと呼ばれているが、この明細書では「プライスホルダ」と呼ぶ。
【０００３】
特許文献１は、商品陳列に用いられる上下２段の陳列バーの上バーに取り付けられるプライスホルダを開示している。このプライスホルダは、上バーの先端部に取り付け可能な固定部と、価格などを付した紙を保持する表示部とを有し、固定部と表示部とは別体構造である。
【０００４】
上下２段の陳列バーのうち商品を係止するための下バーは、その先端部が斜め上方に向けて屈曲した形状を有している。上バーは、その先端が上方に向けて屈曲した形状を有している。プライスホルダの固定部は、上バーの屈曲先端を含む先端部を受け入れる長孔を有し、この長孔を上バーの先端部に挿入することで位置決めされる。
【０００５】
特許文献１は、表示部を固定部に対して上下に首振り可能にすることを提案している。すなわち、特許文献１は、表示部を複数の上下方向の角度位置で固定できるプライスホルダを提案している。
【０００６】
この特許文献１の提案によれば、陳列バーが消費者の目線よりも高所に位置しているときには、プライスホルダの表示部を下向きにすることで消費者が見易くなる。陳列バーが逆に消費者の目線よりも低い位置にあるときには、表示部を上向きにすることで消費者が見易くなる。
【先行技術文献】
【特許文献】
【０００７】
【特許文献１】特開平０７―３３４０９３号公報
【考案の概要】
【考案が解決しようとする課題】
【０００８】
陳列バーに設置されたプライスホルダは、その表示部が消費者と正対した状態にある。すなわち、プライスホルダの表示部は正面を向いた状態で設置される。
【０００９】
陳列バーは店舗内の動線に沿って横並びに配列される。陳列バー列の一端から他端に向けて延びる動線に消費者が入るとき、陳列バー列の一端部のプライスホルダは、動線に入った後であれば、正対した状態でプライスホルダを見ることができる。
【００１０】
本願考案者は、陳列バー列に沿った動線と、消費者の目線とを検討した。陳列バー列の動線に入る直前の消費者は、これから入る動線の商品陳列を見る。その際、移動する消費者に対してプライスホルダが正対していれば、陳列バー列の端部に位置する商品の購買意欲を惹起できる可能性を高めることが可能である。本願考案者は、この認識に基づいて本考案を案出するに至ったものである。
【００１１】
本考案の目的は、移動する消費者が商品と正対する前にプライスホルダの表示を見易くすることのできるプライスホルダを提供することにある。
【課題を解決するための手段】
【００１２】
上記の技術的課題は、本考案によれば、
価格などを記した表示片を収容する表示部(12)と、陳列バー(102)の上バー(108)の先端部と係合して前記表示部(12)を固定するための固定部(14)とを有する合成樹脂製のプライスホルダ(10)において、
前記固定部(14)が、前記上バー(108)の先端部を受け入れる複数の溝(16,18,20)又は長孔を有し、
該複数の溝(16,18,20)又は長孔の各々の軸線(Ａx(C),Ａx(R),Ａx(L))が共通の横面上に位置し且つ互いに交差する一点から後方に延びており、
前記上バー(108)の先端部を前記複数の溝(16,18,20)又は長孔の任意の溝又は長孔に装着することで、表示部の向きを横方向に変更可能であることを特徴とするプライスホルダを提供することにより達成される。
【００１３】
本考案によれば、上バー(108)を装着する複数の溝(16,18,20)又は長孔を選択することで表示部(12)の向きを正面又は左右に向けた状態で設置することができる。
【図面の簡単な説明】
【００１４】
【図１】従来から知られている陳列バーの上バーに実施例のプライスホルダを装着した状態を説明するための図であり、最も端に位置している陳列バーに装着したプライスホルダの向きが動線の出入り口側に向けられていることを示す図である。
【図２】実施例のプライスホルダを斜め後方から見た図である。
【図３】図２に図示のプライスホルダを上下反転させた図である。
【図４】実施例のプライスホルダを斜め前方から見た図であり、(a)は射出成形後の熱収縮が終わった後の完成品を示し、(b)は射出成形直後の状態を示す。
【図５】図４の(a)のＶ−Ｖ線に沿って切断したプライスホルダの断面図である。
【考案を実施するための形態】
【実施例】
【００１５】
以下に、添付の図面に基づいて本考案の好ましい実施例を説明する。
【００１６】
図１は陳列バーを使って商品を陳列している状態を示す。消費者の動線に沿って設置された水平フレーム１００に複数の陳列バー１０２が取り付けられている。複数の陳列バー１０２は動線に沿って横並びに配列される。各陳列バー１０２は、商品１０４を掛ける下バー１０６と、その上方且つ平行に位置する上バー１０８とで構成されている。上下のバー１０６、１０８は前方に且つ水平方向に延びている。
【００１７】
下バー１０６は、上バー１０８よりも長尺であり、上バー１０８よりも前方に突出している。図１から分かるように、商品１０４を係止する下バー１０６は、その先端部が屈曲して斜め上方に延びている。上バー１０８の先端には実施例のプライスホルダ１０が設置されているため、図１から直接的に分からないが、上バー１０８は上方に屈曲した屈曲先端を有している。図１を参照して説明した陳列バー１０２は従来から周知であるので、その詳しい説明は省略する。
【００１８】
図１は、横並びに配列した陳列バー１０２の列１１０の端部を図示してある。陳列バー列１１０の最も端に位置するプライスホルダ１０(E)に注目して欲しい。これを端プライスホルダ１０(E)と呼ぶと、端プライスホルダ１０(E)の表示部１２が、陳列バー列１１０の動線の出入り口に向けて横方向に向いている。当該陳列バー列１１０の動線に入ろうとしている消費者にとって、この端プライスホルダ１０(E)の表示部１２の表示を見るのは容易である。
【００１９】
図２は実施例のプライスホルダ１０を斜め後ろから見た図である。図３は、図２と同様にプライスホルダ１０を斜め後ろから見た図であり、上下反転した状態のプライスホルダ１０を図示してある。
【００２０】
図２、図３を参照して、実施例のプライスホルダ１０は、表示部１２と固定部１４とが一体的に成形された一体成型品であるが、変形例として、特許文献１に開示のプライスホルダと同様に、表示部１２と固定部１４とを別体構造にしてもよい。表示部１２と固定部１４とを別体構造にした場合、特許文献１に開示のプライスホルダと同様に、表示部１２に形成したブラケットに固定部１４を締結する構造を採用すると共に、固定部１４を表示部１２に対して上下に角度変化できるようにしてもよい。これによれば、表示部１２の向きを上下に調整できる。
【００２１】
引き続き図２、図３を参照して、固定部１４は、その下面に、表示部１２と直交する軸線Ａx(C)を備えた中央溝１６と、この中央溝１６を挟んで左右に位置する傾斜溝１８、２０とが形成されている。中央溝１６及び左右の傾斜溝１８、２０は下方に向けて開放しており、各溝１６、１８、２０は上バー１０８の先端部を受け入れることができる。
【００２２】
中央溝１６、左右の傾斜溝１８、２０はその先端部で合流している。そして、この合流部には共通のセンター孔２２が形成されている。この共通センター孔２２には、上バー１０８の屈曲先端が挿入される。
【００２３】
共通センター孔２２は、左右の傾斜溝１８、２０の各々の軸線Ａx(L)、Ａx(R)と上記の中央溝１６の軸線Ａx(C)が交差する点に位置決めされている。中央溝１６の軸線Ａx(C)及び左右の傾斜溝１８、２０の各々の軸線Ａx(L)、Ａx(R)は共通の横面上に位置し且つ一点で交差した点つまり共通センター孔２２から後方つまり表示部１２から離れる方向に延びている。
【００２４】
中央溝１６、左右の傾斜溝１８、２０のいずれかに上バー１０８をセットしたときに、上バー１０８の上方に向けて屈曲した先端が共通センター孔２２に受け入れられる。これにより、プライスホルダ１０が上バー１０８の先端部に脱着可能に固定される。
【００２５】
中央溝１６に上バー１０８を装着すると、表示部１２は正面を向いた状態になる。上バー１０８を左右いずれかの傾斜溝１８又は２０に装着すると、表示部１２は右又は左に向いた状態になる。
【００２６】
上述した中央溝１６、左右の傾斜溝１８、２０及び共通センター孔２２の変形例として、特許文献１に開示の長孔で構成してもよい。すなわち、三本の長孔の先端部を合流させる構成を採用してもよい。
【００２７】
図４は、実施例のプライスホルダ１０を斜め前方から見た図である。図４を参照して、表示部１２は、背板３０と前面カバー３２とを有している。表示部１２は、好ましくは、背板３０の両側に位置して前方に向けて突出するストッパー３４を有しているのが良いが、ストッパー３４を省いてもよい。
【００２８】
表示部１２は正面視矩形の形状を有し、背板３０と前面カバー３２との間に、価格などを記した紙片などの表示片（図示せず）が収容される。
【００２９】
前面カバー３２は背板３０の下端縁に連続している。図５は、図４(a)のＶ−Ｖ線に沿った断面図である。図５を参照して、背板３０は、Ｕ字状に湾曲した連接部３６を介して前面カバー３２に連続している。
【００３０】
プライスホルダ１０は、例えばPS（ポリスチレン）、ABS、PC（ポリカーボネート）、PET等の合成樹脂材料から射出成形される。図４の(a)は成型品が冷めて熱収縮した後の状態（完成品）を示し、図４の(b)は射出成形直後の状態を示す。図４の(b)に図示の射出成形直後のプライスホルダ１０には参照符号Ｂを付記してある。図４の(b)を参照して、成形直後のプライスホルダ１０(Ｂ)は、前面カバー３２の上端が背板３０から離間しているのが良く分かるであろう。成形型は、この図４の(b)に図示の成形直後のプライスホルダ１０(Ｂ)に対応するキャビティ（成形部）を有していると理解されたい。射出成形直後のプライスホルダ１０(Ｂ)は、これが冷えるのに伴う熱収縮によって図４の(a)に図示の完成品のプライスホルダ１０の形状になる。
【００３１】
図４の(a)を参照して、完成品のプライスホルダ１０は、前面カバー３２の上端と背板３０との間が閉じた状態にある。「閉じた」とは、典型的には、前面カバー３２の上端が背板３０に当接又は圧接している状態を意味するが、価格などを記した表示片が抜け出さない程度に前面カバー３２の上端が背板３０から僅かに離間していてもよい。
【００３２】
プライスホルダ１０に、価格等を書いた紙片（図示せず）を挿入するときには、前面カバー３２の上端を背板３０から離す方向に力を加えて、前面カバー３２と背板３０との間に隙間を作ればよい。
【００３３】
前面カバー３２の上端を背板３０から離す方向に力を加えたときに、連接部３６の撓み変形によって前記隙間が出来るようにしてもよいし、前面カバー３２の撓み変形によって前記隙間ができるようにしてもよいし、連接部３６及び前面カバー３２の撓み変形によって前記隙間ができるようにしてもよい。
【００３４】
この隙間を通じて価格等を書いた紙片などの表示片を前面カバー３２と背板３０との間の空間に挿入することができる。前面カバー３２の上端に加えた力を解放することにより、前面カバー３２は、Ｕ字状の連接部３６及び／又は前面カバー３２の復元力により、その上端が背板３０と当接した状態に戻る。
【符号の説明】
【００３５】
１０２  陳列バー
１０４  商品
１０６  陳列バーの下バー
１０８  陳列バーの上バー
１１０  陳列バー列
１０  実施例のプライスホルダ
１０(B)  射出成形直後のプライスホルダ
１０(E)  陳列バー列の端に位置する端プライスホルダ
１２  表示部
１４  固定部
Ａx(C)  表示部と直交する軸線
１６  中央溝
１８  一方の傾斜溝
２０  他方の傾斜溝
２２  センター孔（上バーの上方に屈曲した先端部を受け入れる孔）
３０  表示部の背板
３２  表示部の前面カバー
３４  表示部の側縁のストッパー
３６  背板と前面カバーの下端同士を連結する連接部
【図１】
0003218288.tif 000003
【図２】
0003218288.tif 000004
【図３】
0003218288.tif 000005
【図４】
0003218288.tif 000006
【図５】
0003218288.tif 000007